(57)【特許請求の範囲】
【請求項１】
所定の表示対象を表示部に対して縦方向に表示する第１の表示形態と、前記表示対象を前記表示部に対して横方向に表示する第２の表示形態で表示可能な携帯機であって、
前記第１の表示形態において前記表示部中の第１の下部に表示された選択アイコンと対応する位置に設けられた第１の操作部材と、
前記第２の表示形態において前記表示部中の第２の下部に表示された選択アイコンと対応する位置に設けられた第２の操作部材と、
前記表示形態が前記第１の表示形態である場合に、前記選択アイコンを選択するための機能を前記第１の操作部材に割り当て、前記表示形態が前記第２の表示形態である場合に、前記選択アイコンを選択するための機能を前記第２の操作部材に割当てる機能割当て手段  と、を具備することを特徴とする携帯機。
【請求項２】
所定の表示対象を表示部に対して縦方向に表示する第１の表示形態と、前記表示対象を前記表示部に対して横方向に表示する第２の表示形態で表示可能な携帯機であって、
前記第１の表示形態において、前記表示部中の第１の下部であって、前記表示部の下方に設けられた第１の操作部材に対応する表示位置に選択アイコンを表示し、
前記第２の表示形態において、前記表示部中の第２の下部であって、前記表示部の下方に設けられた第２の操作部材に対応する表示位置に選択アイコンを表示するように前記表示部を制御する表示制御手段と、
前記表示形態が前記第１の表示形態である場合に、前記選択アイコンを選択するための機能を前記第１の操作部材に割り当て、前記表示形態が前記第２の表示形態である場合に、前記選択アイコンを選択するための機能を前記第２の操作部材に割当てる機能割当て手段と、を具備することを特徴とする携帯機。
【請求項３】
前記携帯機は、前記表示対象に応じて前記第１の表示形態および前記第２の表示形態を切り替えることを特徴とする請求項１または２に記載の携帯機。
【請求項４】
前記表示対象は電話番号あるいは文字であることを特徴とする請求項１乃至３のいずれか１項に記載の携帯機。
【請求項５】
前記選択アイコンは一対からなり、前記第１の操作部材は一対からなり、前記第２の操作部材は一対からなることを特徴とする請求項１乃至４のいずれか１項に記載の携帯機。
【請求項６】
前記表示対象はゲーム画面からなることを特徴とする請求項１乃至５のいずれか１項に記載の携帯機。
【請求項７】
前記第１の操作部材は、前記携帯機の前面に設けられ、前記第２の操作部材は、前記携帯機の側面に設けられることを特徴とする請求項１乃至６のいずれか１項に記載の携帯機。
【請求項８】
前記携帯機の側面に設けられた第２の操作部材はシーソーキーであることを特徴とする請求項１乃至７のいずれか１項に記載の携帯機。
【請求項９】
前記第１、第２の操作部材の各々は複数のキーボードからなることを特徴とする請求項１乃至７のいずれか１項に記載の携帯機。
【請求項１０】
コンテンツを表示部に対して縦方向に表示する第１の表示形態と、前記表示対象を前記表示部に対して横方向に表示する第２の表示形態で表示可能な携帯機であって、
前記第１の表示形態において前記表示部中の第１の下部に表示された選択アイコンと対応する位置に設けられた第１の操作部材と、
前記第２の表示形態において前記表示部中の第２の下部に表示された選択アイコンと対応する位置に設けられた第２の操作部材と、
前記表示形態が前記第１の表示形態である場合に、前記選択アイコンを選択するための機能を前記第１の操作部材に割り当て、前記表示形態が前記第２の表示形態である場合に、前記選択アイコンを選択するための機能を前記第２の操作部材に割当てる機能割当て手段  と、を具備することを特徴とする携帯機。
【請求項１１】
コンテンツを表示部に対して縦方向に表示する第１の表示形態と、前記表示対象を前記表示部に対して横方向に表示する第２の表示形態で表示可能な携帯機であって、
前記第１の表示形態において、前記表示部中の第１の下部であって、前記表示部の下方に設けられた第１の操作部材に対応する表示位置に選択アイコンを表示し、
前記第２の表示形態において、前記表示部中の第２の下部であって、前記表示部の下方に設けられた第２の操作部材に対応する表示位置に選択アイコンを表示するように前記表示部を制御する表示制御手段と、
前記表示形態が前記第１の表示形態である場合に、前記選択アイコンを選択するための機能を前記第１の操作部材に割り当て、前記表示形態が前記第２の表示形態である場合に、前記選択アイコンを選択するための機能を前記第２の操作部材に割当てる機能割当て手段と、を具備することを特徴とする携帯機。
【請求項１２】
前記携帯機は、
前記コンテンツに応じて前記第１の表示形態および前記第２の表示形態を切り替えることを特徴とする請求項１０または１１に記載の携帯機。
【請求項１３】
前記第１の操作部材は、前記携帯機の前面に設けられ、前記第２の操作部材は、前記携帯機の側面に設けられることを特徴とする請求項１０から１２のいずれか１項に記載の携帯機。
【請求項１４】
前記携帯機の側面に設けられた第２の操作部材はシーソーキーであることを特徴とする請求項１０から１２のいずれか１項に記載の携帯機。
【請求項１５】
上記第１、第２の操作部材の各々は複数のキーボードからなることを特徴とする請求項１０から１２のいずれか１項に記載の携帯機。
【発明の詳細な説明】
【技術分野】
【０００１】
本発明は携帯電話機に関し、特に、液晶表示部における選択アイコンの表示位置に対応して操作部材を設けた携帯電話機に関する。
【背景技術】
【０００２】
図８は、例えばインターネットからダウンロードしたコンテンツを表示可能なブラウザ機能を備えた従来の携帯電話機の外観正面図である。携帯電話機本体１の前面中央部よりやや上方には縦長の液晶表示部２が設けられている。
【０００３】
液晶表示部２内にはコンテンツ表示７と一対の選択アイコン表示４Ａ，４Ｂとが表示可能である。液晶表示部２の下部中央には多方向選択キーボード５が設けられ、この多方向選択キーボード５の両側には、一対の選択アイコン表示４Ａ，４Ｂを選択するための一対のキーボード３Ａ、３Ｂが設けられている。この一対のキーボード３Ａ、３Ｂは、ユーザが一対の選択アイコン表示４Ａ，４Ｂを容易に選択できるように、一対の選択アイコン表示４Ａ，４Ｂと対応する位置に設けられている。
【０００４】
インターネットによるブラウザ機能の使用時にはインターネットからダウンロードしたコンテンツが液晶表示部２内にコンテンツ表示７として表示される。また、キーボード３Ａ，３Ｂを押すことにより選択アイコン表示４Ａ，４Ｂを選択することができる。また、電話機能の使用時には多方向選択キーボード５を操作することで、受話音量調整、着信音量調整、キーボード誤動作防止等の別機能を行なうことができる。
【０００５】
ところで、左右方向が上下方向と比較して長い長方形のコンテンツを表示させる場合がある。この場合には図９に示すように、コンテンツ表示７は液晶表示部２の長手方向のスペース全体にわたってコンテンツ表示７がなされるので、選択アイコン表示４Ａ、４Ｂはコンテンツ表示７の下部に表示される。またこの場合には、携帯電話機本体１を左横にすることにより正常にコンテンツ表示７を見ることができる。
【０００６】
一方、特開平９−２６１７４４号公報は、電話機本体側面に音量調節キーを配置し、この音量調節キーを電話番号データを検索するための検索キーと兼用することで、装置の小型化、検索操作の簡易化を実現した携帯電話機を開示している。
【先行技術文献】
【特許文献】
【０００７】
【特許文献１】特開平９−２６１７４４号公報
【発明の概要】
【発明が解決しようとする課題】
【０００８】
上記した従来の携帯電話機において、ブラウザ機能を使用して左右方向に長い長方形のコンテンツを表示する場合には、図９に示すように液晶表示部２の長手方向のスペース全体にわたってコンテンツ表示７がなされるので、選択アイコン表示４Ａ、４Ｂとキーボード３Ａ，３Ｂの位置関係が対応しなくなりブラウザ操作が困難になるという問題があった。
【０００９】
また、特開平９−２６１７４４号公報は選択アイコン表示部４Ａ、４Ｂとキーボード３Ａ，３Ｂとの配置関係については何ら開示していない。
【００１０】
本発明は、このような課題に着目してなされたものであり、その目的とするところは、表示対象の表示形態にかかわらず選択アイコン表示を容易に選択することができる携帯電話機を提供することにある。
【課題を解決するための手段】
【００１１】
上記の目的を達成するために、本発明の第１の態様に係る携帯機は、所定の表示対象を表示部に対して縦方向に表示する第１の表示形態と、前記表示対象を前記表示部に対して横方向に表示する第２の表示形態で表示可能な携帯機であって、前記第１の表示形態において前記表示部中の第１の下部に表示された選択アイコンと対応する位置に設けられた第１の操作部材と、前記第２の表示形態において前記表示部中の第２の下部に表示された選択アイコンと対応する位置に設けられた第２の操作部材と、前記表示形態が前記第１の表示形態である場合に、前記選択アイコンを選択するための機能を前記第１の操作部材に割り当て、前記表示形態が前記第２の表示形態である場合に、前記選択アイコンを選択するための機能を前記第２の操作部材に割当てる機能割当て手段  と、を具備する。
【００１２】
また、本発明の第２の態様に係る携帯機は、所定の表示対象を表示部に対して縦方向に表示する第１の表示形態と、前記表示対象を前記表示部に対して横方向に表示する第２の表示形態で表示可能な携帯機であって、前記第１の表示形態において、前記表示部中の第１の下部であって、前記表示部の下方に設けられた第１の操作部材に対応する表示位置に選択アイコンを表示し、前記第２の表示形態において、前記表示部中の第２の下部であって、前記表示部の下方に設けられた第２の操作部材に対応する表示位置に選択アイコンを表示するように前記表示部を制御する表示制御手段と、前記表示形態が前記第１の表示形態である場合に、前記選択アイコンを選択するための機能を前記第１の操作部材に割り当て、前記表示形態が前記第２の表示形態である場合に、前記選択アイコンを選択するための機能を前記第２の操作部材に割当てる機能割当て手段と、を具備する。
【００１３】
また、本発明の第３の態様に係る携帯電話機は、第１または第２の態様において、前記携帯電話機は、前記表示対象に応じて第１の表示形態および第２の表示形態を切り替える。
【００１４】
また、本発明の第４の態様に係る携帯電話機は、第１乃至第３のいずれか１つの態様において、前記表示対象は電話番号あるいは文字である。
【００１５】
また、本発明の第５の態様に係る携帯電話機は、第１乃至第４のいずれか１つの態様において、前記選択アイコンは一対からなり、前記第1の操作部材は一対からなり、前記第2の操作部材は一対からなる。
【００１６】
また、本発明の第６の態様に係る携帯電話機は、第１乃至第５のいずれか１つの態様において、前記表示対象はゲーム画面からなる。
【００１７】
また、本発明の第７の態様に係る携帯機は、第１または第６のいずれか１つの態様において、前記第１の操作部材は、前記携帯機の前面に設けられ、前記第２の操作部材は、前記携帯機の側面に設けられることを特徴とする請求項１乃至６のいずれか１項に記載の携帯機。
【００１８】
また、本発明の第８の態様に係る携帯機は、第１または第７のいずれか１つの態様において、前記携帯機の側面に設けられた第２の操作部材はシーソーキーである。
【００１９】
また、本発明の第９の態様に係る携帯機は、第１または第７のいずれか１つの態様において、前記第１、第２の操作部材の各々は複数のキーボードからなる。
【００２０】
また、本発明の第１０の態様に係る携帯機は、コンテンツを表示部に対して縦方向に表示する第１の表示形態と、前記表示対象を前記表示部に対して横方向に表示する第２の表示形態で表示可能な携帯機であって、前記第１の表示形態において前記表示部中の第１の下部に表示された選択アイコンと対応する位置に設けられた第１の操作部材と、前記第２の表示形態において前記表示部中の第２の下部に表示された選択アイコンと対応する位置に設けられた第２の操作部材と、前記表示形態が前記第１の表示形態である場合に、前記選択アイコンを選択するための機能を前記第１の操作部材に割り当て、前記表示形態が前記第２の表示形態である場合に、前記選択アイコンを選択するための機能を前記第２の操作部材に割当てる機能割当て手段  と、を具備する。
また、本発明の第１１の態様に係る携帯機は、コンテンツを表示部に対して縦方向に表示する第１の表示形態と、前記表示対象を前記表示部に対して横方向に表示する第２の表示形態で表示可能な携帯機であって、前記第１の表示形態において、前記表示部中の第１の下部であって、前記表示部の下方に設けられた第１の操作部材に対応する表示位置に選択アイコンを表示し、前記第２の表示形態において、前記表示部中の第２の下部であって、前記表示部の下方に設けられた第２の操作部材に対応する表示位置に選択アイコンを表示するように前記表示部を制御する表示制御手段と、前記表示形態が前記第１の表示形態である場合に、前記選択アイコンを選択するための機能を前記第１の操作部材に割り当て、前記表示形態が前記第２の表示形態である場合に、前記選択アイコンを選択するための機能を前記第２の操作部材に割当てる機能割当て手段と、を具備する。
また、本発明の第１２の態様に係る携帯機は、第１０または第１１の態様において、前記携帯機は、前記コンテンツに応じて前記第１の表示形態および前記第２の表示形態を切り替える。
また、本発明の第１３の態様に係る携帯機は、第１１から第１２の態様のいずれか１つにおいて、前記第１の操作部材は、前記携帯機の前面に設けられ、前記第２の操作部材は、前記携帯機の側面に設けられる。
また、本発明の第１４の態様に係る携帯機は、第１０から第１２の態様のいずれか１つにおいて、前記携帯機の側面に設けられた第２の操作部材はシーソーキーである。
また、本発明の第１５の態様に係る携帯機は、第１０から第１２の態様のいずれか１つにおいて、上記第１、第２の操作部材の各々は複数のキーボードからなる。
【発明の効果】
【００２１】
本発明によれば、表示対象の表示形態にかかわらず選択アイコン表示を容易に選択することができるようになる。
【図面の簡単な説明】
【００２２】
【図１】本発明の第１実施形態に係るブラウザ機能を備えた携帯電話機の外観図である。
【図２】図１に示す構成の携帯電話機を用いて、左右方向に長い長方形のコンテンツを表示させる場合の作用を説明するための図である。
【図３】本発明の第２実施形態に係るブラウザ機能を備えた携帯電話機の外観図である。
【図４】図３に示す構成の携帯電話機を用いて、左右方向に長い長方形のコンテンツを表示させる場合の作用を説明するための図である。
【図５】本発明に係る携帯電話の内部構成を示すブロック図である。
【図６】操作部材の変形例を説明するための図である。
【図７】制御回路１２３によるブラウザ操作キー割り当ての処理フローを示す図である。
【図８】従来のブラウザ機能を備えた携帯電話機の外観図である。
【図９】図８に示す構成の携帯電話機を用いて、左右方向に長い長方形のコンテンツを表示させたときの問題点を説明するための図である。
【発明を実施するための形態】
【００２３】
以下、図面を参照して本発明の実施の形態を詳細に説明する。図１（Ａ）、１（Ｂ）は本発明の第１実施形態に係るブラウザ機能を備えた携帯電話機の外観側面図、外観正面図である。携帯電話機本体１の前面中央部よりやや上方には縦長の液晶（ＬＣＤ）表示部２が設けられている。液晶表示部２の下部には選択アイコンを選択するための操作部材として一対のキーボード３Ａ，３Ｂが設けられている。また、携帯電話機本体１の左側面の液晶表示部２に隣接する位置には選択アイコンを選択するための他の操作部材として一対の側面キーボード６Ａ，６Ｂが設けられている。一対のキーボード３Ａ，３Ｂ及び一対の側面キーボード６Ａ，６Ｂはブラウザ機能の操作時はブラウザ操作キーとなる。
【００２４】
図１（Ａ）は、インターネットによるブラウザ機能の使用時において、コンテンツが略正方形の場合における液晶表示部２内のコンテンツ表示７と選択アイコン表示４Ａ，４Ｂとを示している。図１（Ａ）に示すように、選択アイコン表示４Ａ，４Ｂは、一対のキーボード３Ａ，３Ｂに対応する位置に表示される。従って、一対のキーボード３Ａ，３Ｂにより選択アイコン表示４Ａ，４Ｂを容易に選択できるので、インターネットによるブラウザ操作を操作性良く行える。
【００２５】
図２（Ａ）は、インターネットによるブラウザ機能の使用時において、コンテンツが左右方向に長い長方形の場合における液晶表示部２内のコンテンツ表示７と選択アイコン表示４Ａ，４Ｂとを示している。この場合には、携帯電話機本体１を左横にすることにより正常にコンテンツ表示７を見ることができる。
【００２６】
インターネットからダウンロードしたコンテンツ及び選択アイコンを液晶表示部２内にどのように表示するかは、コンテンツの形状に応じて表示制御手段としての機能をもつ後述する制御回路により制御される。
【００２７】
図２（Ｂ）に示すように、インターネットによるブラウザ機能の使用時に表示される選択アイコン表示４Ａ，４Ｂに対応する位置に一対の側面キーボード６Ａ，６Ｂが設けられている。従って、一対のキーボード６Ａ，６Ｂを押すことで選択アイコン表示４Ａ，４Ｂを容易に選択できるので、インターネットによるブラウザ操作を操作性良く行える。
【００２８】
また、電話機能の使用時には、上記した一対の側面キーボード６Ａ，６Ｂには、受話音量調整、着信音量調整、キーボード誤動作防止等の別機能が割り当てられる。これらのキーの割り当てについては後述する。
【００２９】
図３（Ａ）、３（Ｂ）は本発明の第２実施形態に係るブラウザ機能を備えた携帯電話機の外観側面図、外観正面図である。第２実施形態では、第１実施形態で説明した側面キーボード６Ａ，６Ｂが携帯電話機本体１の左側面ではなく右側面の液晶表示部２に隣接する位置に設けられている（図４（Ａ）、４（Ｂ））。従って、このような構成において左右方向が長い長方形のコンテンツ表示を見る場合には図４（Ａ）に示すように携帯電話機本体１を右横にすることになる。その他の構成及び作用・効果は第１実施形態と同様である。
【００３０】
なお、上記した実施形態では選択アイコン表示４Ａ，４Ｂを選択するための操作部材として一対のキーボード３Ａ、３Ｂ及び一対の側面キーボード６Ａ，６Ｂを設けたが、一対のキーボード３Ａ、３Ｂあるいは一対の側面キーボード６Ａ，６Ｂの代わりに図６に示すようなシーソーキー８を用いてもよい。シーソーキー８の＋側あるいは−側を押すことにより選択アイコン表示４Ａあるいは４Ｂを選択することができる。
【００３１】
図５は本発明に係る携帯電話の内部構成を示すブロック図である。図示しない基地局からデジタル通話チャネルを介して送られてくるＱＰＳＫ変調された無線周波信号は、アンテナ１０１で受信された後は、アンテナ共用器（ＤＩＵ）１０２を介して受信回路（ＲＸ）１０３に入力される。この受信回路（ＲＸ）１０３は、上記無線周波信号を周波数シンセサイザ回路（ＳＹＮ）１０４から発生される受信局部発振信号とミキシングして中間周波信号に周波数変換した後、増幅し、直交復調する。なお、上記周波数シンセサイザ回路１０４から発生される受信局部発振信号の周波数は、制御回路１２３から出力される制御信号ＣＯＮＴによって指示される。
【００３２】
上記受信中間周波信号は、Ａ／Ｄ変換器１０６によってデジタル信号に変換された後、デジタル変復調回路（ＭＯＤＥＭ）１０８に入力される。このデジタル変復調回路１０８は、上記受信中間周波信号を遅延検波し、さらにフレーム同期の確立、カラーコード信号の検出によりデジタル復調してデジタルベースバンド信号に変換する。
【００３３】
このデジタル変復調回路１０８から出力されるデジタルベースバンド信号には、デジタル通話信号とデジタル制御信号とが含まれる。このうち、デジタル制御信号は制御回路１２３に取り込まれて識別される。一方、デジタル通話信号は、誤り訂正符号復号回路（ＣＨ−ＣＯＤＥＣ：チャネルコーデック）１０９に入力される。この誤り訂正符号復号回路１０９は、上記デジタル変復調回路１０８から供給されるデジタル通話信号に対してデインターリーブ、誤り訂正復号化処理を施すもので、ここで誤り訂正復号化されたデジタル通話信号は音声符号復号回路（ＳＰ−ＣＯＤＥＣ：スピーチコーデック）１１０に入力され、そのデジタル通話信号が文字情報、メロディ添付文字情報の場合は、制御回路１２３に入力される。
【００３４】
この音声符号復号回路１１０は、上記デジタル通話信号に対して音声復号化処理を施すもので、この音声符号復号回路１１０から出力された通話信号はＤ／Ａ変換器１１４でアナログ通話信号に変換された後、受話アンプ１１８で増幅され、スピーカ１１９から拡声出力される。
【００３５】
一方、マイクロホン１２１により集音されて音電変換された話者の送話信号は、送話アンプ１２０により増幅された後、Ａ／Ｄ変換器１１５によりデジタル送話信号に変換されて音声符号復号回路１１０に入力される。この音声符号復号回路１１０は、上記デジタル送話信号に対して音声符号化処理を施すもので、この音声符号復号回路１１０から出力されるデジタル送話信号は、制御回路１２３から出力されるデジタル制御信号と共に誤り訂正復号回路１０９に入力される。この誤り訂正復号回路１０９では、上記デジタル送話信号及びデジタル制御信号に対して誤り訂正符号化処理、インターリーブ処理を施してデジタルベースバンド信号に変換するもので、この符号化後のデジタルベースバンド信号はデジタル変復調回路１０８に入力される。また、制御回路１２３から文字情報、メロディ添付文字情報が送られてきた場合は、デジタル送話信号として処理する。
【００３６】
このデジタル変復調回路１０８は、上記誤り訂正符号復号回路１０９からのデジタルベースバンド信号に対してフレーム信号の付加、カラーコード信号の付加を施し、さらに信号のマッピング処理を行った後、送信タイミングを設定するもので、このデジタル変復調回路１０８の出力はＤ／Ａ変換器１０７でアナログ信号に変換されて送信回路（ＴＸ）１０５に入力される。この送信回路１０５は、アナログ信号に変換されたベースバンド信号を直交変調し、さらにシンセサイザ回路１０４で発生される局部発振信号とミキシングして所定の送信周波数に変換し増幅するもので、その送信信号はアンテナ共用器１０２を介してアンテナ１０１に送られ、このアンテナ１０１から電波として基地局に向けて送出される。
【００３７】
上記デジタル変復調回路１０８、誤り訂正符号復号回路１０９、音声符号復号回路１１０は制御バス１１１に接続される。この制御バス１１１はパラレルのバス信号ラインであり、各種回路部のインターフェースを司るもので、この制御バス１１１には、さらに制御回路１２３、ＣＰＵ１２９、ＲＯＭ１３０、ＲＡＭ１３１が接続されている。
【００３８】
上記制御回路１２３は、発振回路１２８からのクロック信号に基づき、制御バス１１１に接続される各回路の制御を行うと共に、液晶表示部２の表示制御、キーユニット（ＫＥＹ）１２５の操作入力処理を行うものである。
【００３９】
ここで、液晶表示部２は電話番号表示、コンテンツ表示を行う。キーユニット１２５は、上記した一対のキーボード３Ａ，３Ｂ及び一対の側面キーボード６Ａ，６Ｂを含む、テンキー、ファンクションキーを備え、ユーザがこれらのキーの入力操作を行うことで、電話番号、発信、終話、文字、コード、機能設定などの情報を取り込む。
【００４０】
また、上記制御回路１２３は、着信音、メロディ音を発生するトーン発生器を備え、そのトーン出力はアンプ１２６で増幅され、スピーカ１２７より拡声出力される。
【００４１】
一方、ＲＯＭ１３０は、フラッシュＲＯＭまたはＥＥＰＲＯＭで構成され、携帯無線電話機の各種プログラム、定型文字情報、定型メロディ情報、定型文字情報と定型メロディ情報の対応のほか、個別情報、無線機の調整情報等を予め記憶しておくものとして使用される。ＣＰＵ１２９は制御回路１２３からの指示に従ってＲＯＭ１３０から該当するプログラムを取り込んで実行する。ＲＡＭ１３１は、例えばフラッシュメモリで構成され、図示していないバックアップ電池によって機器の電源が入っていない状態でも記憶情報が保持されるようになっており、携帯無線電話機の設定状態、電話番号、デジタル処理化された録音信号を記憶すると共に、ユーザが入力した文字情報、メロディ情報を記憶するものとして使用される。
【００４２】
なお、上記の各回路ブロックには、電池１３３の出力が安定化電源回路１３２によって安定化されて電源として供給される。
【００４３】
図７は上記した制御回路１２３によるブラウザ操作キー割り当ての処理フローを示す図である。インターネットによるブラウザ機能の使用時において、まずステップＳ１０ではインターネットからコンテンツをダウンロードする。次にステップＳ１１において、ダウンロードしたコンテンツの形状をチェックし、液晶表示部２での表示形態が通常表示でよいかあるいは左右方向に長い表示形態となるかを判断する。ここで左右方向に長い表示形態である場合には、電話機能の使用時に音量キーとして割り当てられている一対の側面キーボード６Ａ，６Ｂに対してブラウザ操作キーとしての機能を割り当てる（ステップＳ１３）。また、ステップＳ１１で通常表示であると判断された場合には液晶表示部２下部の一対のキーボード３Ａ，３Ｂに対してブラウザ操作キーとしての機能を割り当てる（ステップＳ１２）。
【００４４】
上述の例では、携帯電話本体１がコンテンツの表示形態に応じて自動的にどのキーをブラウザ操作キーに割り当てるかを設定しているが、割り当てをする前に、ユーザに対して例えば「音量キーをブラウザ操作キーに割り当てますか？」と質問する表示を液晶表示部２に出力してユーザに判定させるようにしてもよい。
【００４５】
また、上記ではインターネットからダウンロードしたコンテンツをブラウザ機能により表示する実施形態を想定して説明したが上記の例に限定されず、記録媒体等に記録されているゲームソフトをコンテンツとして読み込んで液晶表示部２に表示するような場合にも適用できる。
【符号の説明】
【００４６】
１  携帯電話機
２  液晶（ＬＣＤ）表示部
３Ａ，３Ｂ  キーボード
４Ａ，４Ｂ  選択アイコン表示
５  多方向選択キーボード
６Ａ，６Ｂ  側面キーボード
７  コンテンツ表示
８  シーソーキー
１２３  制御回路
【図１】
0004636462.tif 000002
【図２】
0004636462.tif 000003
【図３】
0004636462.tif 000004
【図４】
0004636462.tif 000005
【図５】
0004636462.tif 000006
【図６】
0004636462.tif 000007
【図７】
0004636462.tif 000008
【図８】
0004636462.tif 000009
【図９】
0004636462.tif 000010